【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
物体側から順に、負の屈折力を有する第１レンズ群と、正の屈折力を有する第２レンズ群と、負の屈折力を有する第３レンズ群と、正の屈折力を有する第４レンズ群とから構成された変倍光学系であって、
前記第２レンズ群は１枚の均質正レンズからなることを特徴とする変倍光学系。
【請求項２】
前記第１レンズ群は、物体側の面に非球面を有する負レンズを含むことを特徴とする請求項１記載の変倍光学系。
【請求項３】
前記第１レンズ群は、像側の面に非球面を有する負レンズを含むことを特徴とする請求項１又は２記載の変倍光学系。
【請求項４】
前記第１レンズ群は、樹脂材料で製作された負レンズを含むことを特徴とする請求項１から３の何れか１項記載の変倍光学系。
【請求項５】
前記第１レンズ群は、以下の条件式を満たす材料により製作された負レンズを含むことを特徴とする請求項１から４の何れか１項記載の変倍光学系。
４０＜νd1＜１００                                            ・・・（１）
ただし、νd1：前記第１レンズ群の負レンズのアッベ数、
である。
【請求項６】
前記第１レンズ群は、以下の条件式を満たす負レンズを含むことを特徴とする請求項１から５の何れか１項記載の変倍光学系。
０．５＜｜ｆ1 ｜／ｆw ＜５                                    ・・・（２）
ただし、ｆ1 ：前記第１レンズ群の負レンズの焦点距離、
ｆw ：広角端における全系の焦点距離、
である。
【請求項７】
前記第１レンズ群が接合レンズを有することを特徴とする請求項１から６の何れか１項記載の変倍光学系。
【請求項８】
前記第１レンズ群が正レンズを有することを特徴とする請求項１から７の何れか１項記載の変倍光学系。
【請求項９】
前記第１レンズ群の正レンズは第１レンズ群中で最も像側に配置されていることを特徴とする請求項８記載の変倍光学系。
【請求項１０】
前記第１レンズ群が、以下の条件式を満たすことを特徴とする請求項１から９の何れか１項記載の変倍光学系。
−１０＜ＳＦG1＜１                                            ・・・（３）
ただし、ＳＦG1＝（ｒG11 ＋ｒG12 ）／（ｒG11 −ｒG12 ）、
であり、
ｒG11 ：前記第１レンズ群の最も物体側の面の曲率半径、
ｒG12 ：前記第１レンズ群の最も像側の面の曲率半径、
である。
【請求項１１】
前記第２レンズ群の正レンズが、物体側に非球面を有することを特徴とする請求項１から１０の何れか１項記載の変倍光学系。
【請求項１２】
前記第２レンズ群の正レンズが、像側に非球面を有することを特徴とする請求項１から１１の何れか１項記載の変倍光学系。
【請求項１３】
前記第２レンズ群の正レンズが、樹脂材料で製作されたことを特徴とする請求項１から１２の何れか１項記載の変倍光学系。
【請求項１４】
前記第２レンズ群が以下の条件式を満たすことを特徴とする請求項１から１３の何れか１項記載の変倍光学系。
−５＜ＳＦG2＜１                                              ・・・（４）
ただし、ＳＦG2＝（ｒG21 ＋ｒG22 ）／（ｒG21 −ｒG22 ）、
であり、
ｒG21 ：前記第２レンズ群の正レンズの物体側の面の曲率半径、
ｒG22 ：前記第２レンズ群の正レンズの像側の面の曲率半径、
である。
【請求項１５】
前記第２レンズ群の正レンズが、以下の条件式を満たす材料により製作されたことを特徴とする請求項１から１４の何れか１項記載の変倍光学系。
４０＜νd2＜１００                                            ・・・（５）
ただし、νd2：前記第２レンズ群の正レンズのアッベ数、
である。
【請求項１６】
前記第２レンズ群の正レンズが、以下の条件式を満たすことを特徴とする請求項１から１５の何れか１項記載の変倍光学系。
０．３＜｜ｆ2 ｜／ｆw ＜１．３                                ・・・（６）
ただし、ｆ2 ：前記第２レンズ群の正レンズの焦点距離、
ｆw ：広角端における全系の焦点距離、
である。
【請求項１７】
前記第３レンズ群が、樹脂材料で製作された負レンズを含むことを特徴とする請求項１から１６の何れか１項記載の変倍光学系。
【請求項１８】
前記第３レンズ群が、以下の条件式を満たす負レンズを含むことを特徴とする請求項１から１７の何れか１項記載の変倍光学系。
−１＜ＳＦG3＜１０                                            ・・・（７）
ただし、ＳＦG3＝（ｒG31 ＋ｒG32 ）／（ｒG31 −ｒG32 ）、
であり、
ｒG31 ：前記第３レンズ群の負レンズの物体側の面の曲率半径、
ｒG32 ：前記第３レンズ群の負レンズの像側の面の曲率半径、
である。
【請求項１９】
前記第３レンズ群が、以下の条件式を満たす材料により製作された負レンズを含むことを特徴とする請求項１から１８の何れか１項記載の変倍光学系。
０＜νd3＜４０                                                ・・・（８）
ただし、νd3：前記第３レンズ群の負レンズのアッベ数、
である。
【請求項２０】
前記第４レンズ群が、樹脂材料で製作された正レンズを含むことを特徴とする請求項１から１９の何れか１項記載の変倍光学系。
【請求項２１】
前記第４レンズ群が、以下の条件式を満たす正レンズを含むことを特徴とする請求項１から２０の何れか１項記載の変倍光学系。
−１＜ＳＦG4＜１０                                            ・・・（９）
ただし、ＳＦG4＝（ｒG41 ＋ｒG42 ）／（ｒG41 −ｒG42 ）、
であり、
ｒG41 ：前記第４レンズ群の正レンズの物体側の面の曲率半径、
ｒG42 ：前記第４レンズ群の正レンズの像側の面の曲率半径、
である。
【請求項２２】
前記第４レンズ群が、以下の条件式を満たす材料により製作された正レンズを含むことを特徴とする請求項１から２１の何れか１項記載の変倍光学系。
４０＜νd4＜１００                                          ・・・（１０）
ただし、νd4：前記第４レンズ群の正レンズのアッベ数、
である。
【請求項２３】
以下の条件式を満たすことを特徴とする請求項１から２２の何れか１項記載の変倍光学系。
−３０＜ＤＴmin ＜２０                                      ・・・（１１）
ただし、ＤＴmin ：最小歪曲収差量［％］、
である。
【請求項２４】
請求項１から２３の何れか１項記載の変倍光学系と、その像側に配された電子撮像素子とを含み、
前記変倍光学系で発生する歪曲収差を電気的に補正するようにしたことを特徴とする電子機器。
【請求項２５】
請求項１から２３の何れか１項記載の変倍光学系と、その像側に配された電子撮像素子とを含み、
前記変倍光学系で発生する倍率色収差を電気的に補正するようにしたことを特徴とする電子機器。
【請求項２６】
前記変倍光学系を構成する少なくとも１つの光学素子の光学材料として有機成分と無機成分とが混合複合化された有機無機複合材料を用いることを特徴とする請求項１から２３の何れか１項記載の変倍光学系。
【請求項２７】
前記有機無機複合体はジルコニアのナノ粒子を含むことを特徴とする請求項２６記載の変倍光学系。
【請求項２８】
前記有機無機複合体はジルコニアとアルミナのナノ粒子を含むことを特徴とする請求項２６記載の変倍光学系。
【請求項２９】
前記有機無機複合体はニオブ酸化物のナノ粒子を含むことを特徴とする請求項２６記載の変倍光学系。
【請求項３０】
前記有機無機複合体はジルコニウムアルコキシドの加水分解物とアルミナのナノ粒子を含むことを特徴とする請求項２６記載の変倍光学系。
【請求項３１】
請求項１から２３、２６から３０の何れか１項記載の変倍光学系と、その像側に配された電子撮像素子とを有することを特徴とする電子機器。
【請求項３２】
前記第３レンズ群が、1 枚の負レンズからなることを特徴とする請求項１から２３、２６から３０の何れか１項に記載の変倍光学系。
【請求項３３】
前記第３レンズ群が、1 枚の負レンズからなることを特徴とする請求項２４、２５、３１の何れか１項に記載の電子機器。